(57)【特許請求の範囲】
【請求項１】
ディスクを載置するチャッキング機構が圧入結合されるローターケースと、
前記ディスクの底面を支持するように前記ローターケースの上面に設けられ、当該ローターケースの上面と当該ディスクの底面との間に形成される空間Ｓの内外側に空気が流動可能になるようにする流路部が形成されるディスク支持部材と
を含み、
前記ローターケース及び前記ディスク支持部材の少なくとも一つには、前記ローターケースの回転時に上記流路部を介して流動する空気を加速させるプッシュ部が形成され、
前記プッシュ部は、前記ローターケースの上面に周方向に沿って相互離隔されて配置されるように形成される複数の溝からなる、モーター。
【請求項２】
前記プッシュ部は、
前記ディスク支持部材の半径方向の内側に配置されるが、前記流路部に対応されるように周方向に沿って複数が相互離隔されて配置される、請求項１に記載のモーター。
【請求項３】
前記プッシュ部は、
前記ディスク支持部材の半径方向の内側に配置されるが、相互離隔されて配置される複数の前記流路部間に位置する、請求項１に記載のモーター。
【請求項４】
ディスクを載置するチャッキング機構が圧入結合されるローターケースと、
前記ディスクの底面を支持するように前記ローターケースの上面に設けられ、当該ローターケースの上面と当該ディスクの底面との間に形成される空間Ｓの内外側に空気が流動可能になるようにする流路部が形成されるディスク支持部材と
を含み、
前記ローターケース及び前記ディスク支持部材の少なくとも一つには、前記ローターケースの回転時に上記流路部を介して流動する空気を加速させるプッシュ部が形成され、
前記プッシュ部は、前記ローターケースの上面に形成される第１のプッシュ部と、前記ディスク支持部材の内周面及び外周面の少なくとも一つに形成される第２のプッシュ部とを含んで構成され、
前記第１のプッシュ部は、前記ローターケースの上面に周方向に沿って相互離隔されて配置されるように形成される複数の溝からなり、
前記第２のプッシュ部は、前記ディスク支持部材の外周面に形成される凹溝からなる、モーター。
【請求項５】
ディスクを載置するチャッキング機構が圧入結合されるローターケースと、
前記ディスクの底面を支持するように前記ローターケースの上面に設けられ、当該ローターケースの上面と当該ディスクの底面との間に形成される空間Ｓの内外側に空気が流動可能になるようにする流路部が形成されるディスク支持部材と
を含み、
前記ローターケース及び前記ディスク支持部材の少なくとも一つには、前記ローターケースの回転時に上記流路部を介して流動する空気を加速させるプッシュ部が形成され、
前記プッシュ部は、前記ローターケースの上面に形成される第１のプッシュ部と、前記ディスク支持部材の内周面及び外周面の少なくとも一つに形成される第２のプッシュ部とを含んで構成され、
前記第１のプッシュ部は、前記ローターケースの上面に周方向に沿って相互離隔されて配置されるように形成される複数の溝からなり、
前記第２のプッシュ部は、前記ディスク支持部材の外周面に形成される凹溝と、前記ディスク支持部材の内周面に形成される凸部とからなる、モーター。
【請求項６】
ディスクを載置するチャッキング機構が圧入結合されるローターケースと、
前記ディスクの底面を支持するように前記ローターケースの上面に設けられ、当該ローターケースの上面と当該ディスクの底面との間に形成される空間Ｓの内外側に空気が流動可能になるようにする流路部が形成されるディスク支持部材と
を含み、
前記ローターケース及び前記ディスク支持部材の少なくとも一つには、前記ローターケースの回転時に上記流路部を介して流動する空気を加速させるプッシュ部が形成され、
前記プッシュ部は、前記ローターケースの上面に形成される第１のプッシュ部と、前記ディスク支持部材の内周面及び外周面の少なくとも一つに形成される第２のプッシュ部とを含んで構成され、
前記第１のプッシュ部は、前記ローターケースの上面に周方向に沿って相互離隔されて配置されるように形成される複数の溝からなり、
前記第２のプッシュ部は、前記ディスク支持部材の外周面に形成される外側凹溝と、前記ディスク支持部材の内周面に形成される内側凹溝とからなる、モーター。
【請求項７】
前記外側凹溝と前記内側凹溝は、交互に配置されるように形成される、請求項６に記載のモーター。
【請求項８】
前記第１のプッシュ部は、前記第２のプッシュ部の内側凹溝に対応されるように、前記ディスク支持部材の半径方向の内側に配置される、請求項６または７に記載のモーター。
【請求項９】
ディスクを載置するチャッキング機構が圧入結合されるローターケースと、
前記ディスクの底面を支持するように前記ローターケースの上面に設けられ、当該ローターケースの上面と当該ディスクの底面との間に形成される空間Ｓの内外側に空気が流動可能になるようにする流路部が形成されるディスク支持部材と
を含み、
前記ローターケース及び前記ディスク支持部材の少なくとも一つには、前記ローターケースの回転時に上記流路部を介して流動する空気を加速させるプッシュ部が形成され、
前記プッシュ部は、前記ディスク支持部材の内周面に形成される凸部からなる、モーター。
【請求項１０】
ディスクを載置するチャッキング機構が圧入結合されるローターケースと、
前記ディスクの底面を支持するように前記ローターケースの上面に設けられ、当該ローターケースの上面と当該ディスクの底面との間に形成される空間Ｓの内外側に空気が流動可能になるようにする流路部が形成されるディスク支持部材と
を含み、
前記ローターケース及び前記ディスク支持部材の少なくとも一つには、前記ローターケースの回転時に上記流路部を介して流動する空気を加速させるプッシュ部が形成され、
前記プッシュ部は、前記ディスク支持部材の内周面に形成される凹溝からなる、モーター。
【請求項１１】
前記流路部は、
半径方向に対して傾斜するように配置されて形成される、請求項１から１０の何れか１項に記載のモーター。
【請求項１２】
ディスクが出入りされる開口部を備える本体ハウジングと、
当該本体ハウジングに搭載される請求項１から１１のいずれか１項に記載のモーターと、
当該モーターによって回転されるディスクに光を照射し、反射された光を受光する光ピックアップ部と、
当該光ピックアップ部を上記ディスクの周方向に移動させる駆動部と
を含む、ディスク駆動装置。
【発明の詳細な説明】
【技術分野】
【０００１】
本発明は、モーター及びこれを備えるディスク駆動装置に関する。より詳細には、載置されるディスクの底面を支持するディスク支持部材がローターケースの上面に備えられるモーター及びこれを備えるディスク駆動装置に関する。
【背景技術】
【０００２】
一般的に光ディスクドライブ（ｏｐｔｉｃａｌ  ｄｉｓｃ  ｄｒｉｖｅ）内に設けられるスピンドルモーター（ｓｐｉｎｄｌｅ  ｍｏｔｏｒ）は、光ピックアップ機構がディスクに記録されたデータを読むことができるように、ディスクを回転させる機能をする。
【０００３】
また、スピンドルモーターは、スリーブに回転可能に支持されるシャフトに取り付けられるローターケースを備え、ローターケースの上面には、ディスクの載置時にディスクの底面に接触されてディスクを支持するディスク支持部材が備えられることができる。
【０００４】
なお、スピンドルモーターにディスクが載置されて回転される場合、ディスクの中心側の領域とディスクの縁側の領域との間で圧力差が発生し、さらにローターケースの下部側には多様な発熱源が配置されることができるため、ディスクの中心側の領域とディスクの縁側の領域との間で温度差も発生する。
【０００５】
このような圧力差及び温度差によって、ディスクの回転駆動時に振動が発生することがあり、これによりモーターの消費電力が増加する問題がある。
【０００６】
さらに、このような振動の発生によって、駆動時におけるモーターの安定化時間及び高速回転までに要する時間が増加し、内部部品の温度が上昇して耐久性が低下する問題がある。
【０００７】
さらに、発生する振動によって、騒音が増加する問題がある。
【発明の概要】
【発明が解決しようとする課題】
【０００８】
本発明の目的は、ディスクの回転駆動時に発生する圧力差及び温度差を減少させることで、消費電力を減少させることができるモーター及びこれを備えるディスク駆動装置を提供することである。
【課題を解決するための手段】
【０００９】
本発明に係るモーターは、ディスクを載置するチャッキング機構が圧入結合されるローターケースと、上記ディスクの底面を支持するように上記ローターケースの上面に設けられ、当該ローターケースの上面と当該ディスクの底面との間に形成される空間Ｓの内外側に空気が流動可能になるようにする流路部が形成されるディスク支持部材とを含み、上記ローターケース及び上記ディスク支持部材の少なくとも一つには上記ローターケースの回転時に流路部を介して流動する空気を加速させるプッシュ部が形成されることができる。
【００１０】
上記プッシュ部は、上記ローターケースの上面に周方向に沿って相互離隔されて配置されるように形成される複数の溝からなることができる。
【００１１】
上記プッシュ部は、上記ディスク支持部材の半径方向の内側に配置されるが、上記流路部と対応するように周方向に沿って複数が相互離隔されて配置されることができる。
【００１２】
上記プッシュ部は、上記ディスク支持部材の半径方向の内側に配置されるが、相互離隔されて配置される複数の上記流路部間に位置されることができる。
【００１３】
上記プッシュ部は、上記ローターケースの上面に形成される第１のプッシュ部と、上記ディスク支持部材の内周面及び外周面の少なくとも一つに形成される第２のプッシュ部とを含んで構成されることができる。
【００１４】
上記第１のプッシュ部は、上記ローターケースの上面に周方向に沿って相互離隔されて配置されるように形成される複数の溝からなり、上記第２のプッシュ部は、上記ディスク支持部材の外周面に形成される凹溝からなることができる。
【００１５】
上記第１のプッシュ部は、上記ローターケースの上面に周方向に沿って相互離隔されて配置されるように形成される複数の溝からなり、上記第２のプッシュ部は、上記ディスク支持部材の外周面に形成される凹溝と、上記ディスク支持部材の内周面に形成される凸部とからなることができる。
【００１６】
上記第１のプッシュ部は、上記ローターケースの上面に周方向に沿って相互離隔されて配置されるように形成される複数の溝からなり、上記第２のプッシュ部は、上記ディスク支持部材の外周面に形成される外側凹溝と、上記ディスク支持部材の内周面に形成される内側凹溝とからなることができる。
【００１７】
上記外側凹溝と上記内側凹溝は、交互に配置されるように形成されることができる。
【００１８】
上記第１のプッシュ部は、上記第２のプッシュ部の内側凹溝に対応されるように、上記ディスク支持部材の半径方向の内側に配置されることができる。
【００１９】
上記プッシュ部は、上記ディスク支持部材の内周面に形成される凸部からなることができる。
【００２０】
上記プッシュ部は、上記ディスク支持部材の内周面に形成される凹溝からなることができる。
【００２１】
上記流路部は、半径方向に対して傾斜するように配置されて形成されることができる。
【００２２】
本発明に係るディスク駆動装置は、ディスクが出入りされる開口部を備える本体ハウジングと、当該本体ハウジングに搭載される上述したモーターと、当該モーターによって回転されるディスクに光を照射し、反射された光を受光する光ピックアップ部と、当該光ピックアップ部を上記ディスクの周方向に移動させる駆動部とを含む。
【発明の効果】
【００２３】
本発明によると、流路部を介して、ディスクの底面とローターケースの上面との間の空間Ｓを、当該空間Ｓの外側と連通させることによって、空気を流動させて空間Ｓと当該空間Ｓの外側との圧力差及び温度差を減少させることができる効果がある。
【００２４】
さらに、プッシュ部によって流路部を介した空気の流動をより円滑にすることで、空間Ｓと当該空間Ｓの外側との圧力差及び温度差をより速やかに減少させることができる効果がある。
【００２５】
これにより、ディスクの回転駆動中に発生する振動を減少させ、モーターの消費電力を減少させることができる効果がある。
【図面の簡単な説明】
【００２６】
【図１】本発明の第１の実施形態に係るモーターを示す概略断面図である。
【図２】本発明の第１の実施形態に係るモーターを示す平面図である。
【図３】本発明の第１の実施形態に係るモーターの駆動時に発生する空気の流動を説明するための作動図である。
【図４】本発明の第２の実施形態に係るモーターを示す概略図である。
【図５】本発明の第３の実施形態に係るモーターを示す概略図である。
【図６】本発明の第４の実施形態に係るモーターを示す概略図である。
【図７】本発明の第５の実施形態に係るモーターを示す概略図である。
【図８】本発明の第６の実施形態に係るモーターを示す概略図である。
【図９】本発明の第７の実施形態に係るモーターを示す概略図である。
【図１０】本発明の第８の実施形態に係るモーターを示す概略図である。
【図１１】本発明の第１の実施形態に係るディスク駆動装置を示す概略断面図である。
【発明を実施するための形態】
【００２７】
以下では、図面を参照して本発明の具体的な実施形態を詳述する。但し、本発明の思想は、提示される実施形態に制限されることなく、本発明の思想を理解する当業者は、同一思想の範囲内で他の構成要素の追加、変更、削除などを通じて、退歩的な他の発明や本発明の思想の範囲内に含まれる他の実施形態を容易に提案することができるが、これもまた本願発明の思想の範囲内に含まれると言えるはずである。
【００２８】
なお、本発明を詳述するにおいて、関連した公知の機能又は構成に対する具体的な説明が本発明の要旨を不要にできると判断される場合には、その詳細な説明を省略する。
【００２９】
図１は、本発明の第１の実施形態に係るモーターを示す概略断面図であり、図２は、本発明の第１の実施形態に係るモーターを示す平面図であり、図３は、本発明の第１の実施形態に係るモーターの駆動時に発生する空気の流動を説明するための作動図である。
【００３０】
図１から図３を参照すると、本発明の第１の実施形態に係るモーター１００は、チャッキング機構１２０と、ローターケース１４０と、ディスク支持部材１６０と、プッシュ部１８０とを含む。
【００３１】
ここで、上記モーター１００は、ディスクＤを回転させるディスク駆動装置に適用されるスピンドルモーターであって、大別してステーター２０とローター４０とからなる。
【００３２】
上記ステーター２０は、回転する部材を除外した全ての固定部材を意味するものであって、印刷回路基板２１が設けられるベースプレート２２と、スリーブ３０を圧入して支持するスリーブホルダー２３と、当該スリーブホルダー２３に固定されるステーターコア２４と、当該ステーターコア２４を取り囲む巻線コイル２５とを含む。
【００３３】
上記ローター４０は、上記ステーターコア２４と対応する環状のマグネット４２を内周部に備えるカップ状のローターケース１４０を備える。上記マグネット４２は、周方向にＮ極とＳ極とが交互に着磁されている、一定の強さの磁気力を発生する永久磁石である。
【００３４】
上記ローターケース１４０は、シャフト４４に圧入されて締結されるローターハブ１４２と、上記環状のマグネット４２を内周面に配置するマグネット結合部１４４とからなる。
【００３５】
上記ローターハブ１４２は、上記シャフト４４との抜去力維持のために当該シャフト４４の軸方向の上側に折曲形成され、当該ローターハブ１４２の外周面にはディスクＤを載置できるチャッキング機構１２０が取り付けられる。
【００３６】
マグネット結合部１４４の内周面に備えられる上記マグネット４２は、巻線コイル２５と対向するように配置され、当該マグネット４２と当該巻線コイル２５との電磁気的な相互作用によって上記ローター４０が回転するようになる。換言すれば、上記ローターケース１４０が回転すると、当該ローターケース１４０と連動する上記シャフト４４が一緒に回転する。
【００３７】
なお、方向に対する用語を定義すると、軸方向は、図１から見ると、シャフト４４を基準に上下方向を意味し、半径方向は、シャフト４４を基準にローターケース１４０の外側端方向又はローターケース１４０の外側端を基準にシャフト４４の中心方向を意味し、周方向は、シャフト４４の外周面に沿って回転される方向を意味する。
【００３８】
上記チャッキング機構１２０は、ディスクＤを載置する役割を行う。このために、上記チャッキング機構１２０は、上記ローターケース１４０に圧入装着されるセンターケース１２２と、当該センターケース１２２に設けられるチャッキングユニット１２４とを備える。
【００３９】
上記チャッキングユニット１２４は、チャックチップ１２４ａと弾性部材１２４ｂとからなり、当該チャックチップ１２４ａは当該弾性部材１２４ｂによって半径方向に弾性支持される。これにより、チャックチップ１２４ａがスライド移動されることで、ディスクＤを固定させることができる。
【００４０】
上記ローターケース１４０には、上述したように、ディスクＤを載置するチャッキング機構１２０が圧入結合される。
【００４１】
なお、上記ディスク支持部材１６０は、ディスクＤの底面を支持するように上記ローターケース１４０の上面に設けられ、上記ディスクＤの底面とローターケースの上面との間の空間Ｓの内外側に空気が流動可能になるように流路部１７０を形成する。
【００４２】
即ち、上記ディスク支持部材１６０は、上記ローターケース１４０の上面の縁に周方向に沿って複数が相互離隔されて配置され、空間Ｓの内外側に空気が流動される流路部１７０を形成する。
【００４３】
上記流路部１７０は、上記ローターケース１４０の回転時により円滑に空気が空間Ｓの外側に流動されることができるように、半径方向に対して傾斜するように配置されて形成されることができる。
【００４４】
なお、上記流路部１７０を介した空気の流動状態を詳細に見ると、図３に示されるように、空気は、上記チャッキング機構１２０の上部側から、上記ローターケース１４０の上面とディスク支持部材１６０とディスクＤの底面とによって形成される空間Ｓに流入される。以後、空気は、上記流路部１７０を介して空間Ｓから当該空間Ｓの外側に流動される。
【００４５】
これにより、上記ローターケース１４０の上面とディスク支持部材１６０とディスクＤの底面とによって形成される空間Ｓと、当該空間Ｓの外側との圧力差及び温度差を減少させることができるため、圧力差及び温度差によって発生する振動、騒音等を減少させることができる。
【００４６】
さらに、上記ローターケース１４０の上面とディスク支持部材１６０とディスクＤの底面とによって形成される空間Ｓと、当該空間Ｓの外側との圧力差及び温度差を減少させることで、最終的には、上記モーター１００の消費電力を減少させることができる。
【００４７】
上記プッシュ部１８０は、上記ローターケース１４０及び上記ディスク支持部材１６０の少なくとも一つに形成され、上記ローターケース１４０の回転時に上記流路部１７０を介して流動する空気を加速させる。
【００４８】
なお、本実施形態に係るプッシュ部１８０は、上記ローターケース１４０の上面に周方向に沿って相互離隔されて配置されるように形成される複数の溝からなることができる。
【００４９】
上記プッシュ部１８０は、上記ディスク支持部材１６０の半径方向の内側に上記流路部１７０に対応されるように配置されることで、流動する空気が当該流路部１７０を介して空間Ｓから当該空間Ｓの外側により円滑に流動されるようにする。
【００５０】
これにより、上記ローターケース１４０の上面とディスク支持部材１６０とディスクＤの底面とによって形成される空間Ｓと、当該空間Ｓの外側との圧力差及び温度差をより速やかに減少させることができる。
【００５１】
上述したように、上記流路部１７０を介して、上記ディスクＤの底面とローターケース１４０の上面との間の空間Ｓを、当該空間Ｓの外側と連通させることによって、空気を流動させて空間Ｓと当該空間Ｓの外側との圧力差及び温度差を減少させることができる。
【００５２】
さらに、上記プッシュ部１８０によって上記流路部１７０を介した空気の流動をより円滑にすることで、空間Ｓと当該空間Ｓの外側との圧力差及び温度差をより速やかに減少させることができる。
【００５３】
これにより、上記ディスクＤの回転駆動中に発生する振動を減少させ、最終的には、上記モーター１００の消費電力を減少させることができる。
【００５４】
以下、図面を参照して本発明の他の実施形態に係るモーターについて説明する。但し、上述した構成と同様の構成に対しては、その詳細な説明を省略する。
【００５５】
図４は、本発明の第２の実施形態に係るモーターを示す概略図である。
【００５６】
図４を参照すると、本発明の第２の実施形態に係るモーター２００は、チャッキング機構２２０と、ローターケース２４０と、ディスク支持部材２６０と、プッシュ部２８０とを含む。
【００５７】
なお、上記チャッキング機構２２０は、上述した第１の実施形態に係るチャッキング機構１２０と同様の構成であるため、その詳細な説明は省略する。
【００５８】
上記ローターケース２４０の上部には、ディスクＤを載置する上記チャッキング機構２２０が圧入結合される。
【００５９】
上記ディスク支持部材２６０は、ディスクＤの底面を支持するように上記ローターケース２４０の上面に設けられ、空間Ｓの内外側に空気が流動可能になるように流路部２７０を形成する。
【００６０】
即ち、上記流路部２７０を介して、空間Ｓから当該空間Ｓの外側に空気が流動される。
【００６１】
また、上記流路部２７０は、上記ローターケース２４０の回転時により円滑に空気が空間Ｓの外側に流動されることができるように、半径方向に対して傾斜するように配置されて形成されることができる。
【００６２】
これにより、上記ローターケース２４０の上面とディスク支持部材２６０とディスクＤの底面とによって形成される空間Ｓと、当該空間Ｓの外側との圧力差及び温度差を減少させ、圧力差及び温度差によって発生する振動、騒音等を減少させることができる。
【００６３】
さらに、上記ローターケース２４０の上面とディスク支持部材２６０とディスクＤの底面とによって形成される空間Ｓと、当該空間Ｓの外側との圧力差及び温度差を減少させることで、最終的には、上記モーター２００の消費電力を減少させることができる。
【００６４】
上記プッシュ部２８０は、上記ローターケース２４０及び上記ディスク支持部材２６０の少なくとも一つに形成され、上記ローターケース２４０の回転時に上記流路部２７０を介して流動する空気を加速させる。
【００６５】
即ち、上記プッシュ部２８０は、上記ローターケース２４０の上面に形成される第１のプッシュ部２８２と、上記ディスク支持部材２６０の内周面及び外周面の少なくとも一つに形成される第２のプッシュ部２８４とを含んで構成されることができる。
【００６６】
なお、本実施形態に係る第１のプッシュ部２８２は、上記ローターケース２４０の上面に周方向に沿って相互離隔されて配置されるように形成される複数の溝からなり、本実施形態に係る第２のプッシュ部２８４は、上記ディスク支持部材２６０の外周面に形成される凹溝からなることができる。
【００６７】
以下、上記第１及び第２のプッシュ部２８２、２８４について詳述する。
【００６８】
まず、上記第１のプッシュ部２８２は、上記ディスク支持部材２６０の半径方向の内側に上記流路部２７０に対応されるように配置されることで、流動する空気が当該流路部２７０を介して空間Ｓから当該空間Ｓの外側により円滑に流動されるようにする。
【００６９】
これにより、上記ローターケース２４０の上面とディスク支持部材２６０とディスクＤの底面とによって形成される空間Ｓと、当該空間Ｓの外側との圧力差及び温度差をより速やかに減少させることができる。
【００７０】
なお、上記第２のプッシュ部２８４は、それぞれの上記ディスク支持部材２６０の外周面の中央部に配置され、空間Ｓの外側で流動する空気を加速させる役割を行う。これにより、空間Ｓから上記流路部２７０を介して当該空間Ｓの外側に、より円滑に空気が流動されることができる。
【００７１】
結局、上記第２のプッシュ部２８４によって、上記ローターケース２４０の上面とディスク支持部材２６０とディスクＤの底面とによって形成される空間Ｓと、当該空間Ｓの外側との圧力差及び温度差をさらにより速やかに減少させることができる。
【００７２】
上述したように、上記流路部２７０を介して、上記ディスクＤの底面とローターケース２４０の上面との間の空間Ｓを、当該空間Ｓの外側と連通させることによって、空気を流動させて空間Ｓと当該空間Ｓの外側との圧力差及び温度差を減少させることができる。
【００７３】
さらに、上記第１及び第２のプッシュ部２８２、２８４からなるプッシュ部２８０によって、上記流路部２７０を介した空気の流動をより円滑にすることで、空間Ｓと当該空間Ｓの外側との圧力差及び温度差をより速やかに減少させることができる。
【００７４】
これにより、上記ディスクＤの回転駆動中に発生する振動を減少させ、最終的には、上記モーター２００の消費電力を減少させることができる。
【００７５】
図５は、本発明の第３の実施形態に係るモーターを示す概略図である。
【００７６】
図５を参照すると、本発明の第３の実施形態に係るモーター３００は、チャッキング機構３２０と、ローターケース３４０と、ディスク支持部材３６０と、プッシュ部３８０とを含む。
【００７７】
なお、上記チャッキング機構３２０、上記ローターケース３４０及び上記ディスク支持部材３６０に関する説明は、上述した本発明の第１の実施形態に係るモーター１００におけるチャッキング機構１２０、ローターケース１４０及びディスク支持部材１６０に関する説明と同様であるため、ここでは省略する。
【００７８】
上記プッシュ部３８０は、上記ローターケース３４０及び上記ディスク支持部材３６０の少なくとも一つに形成され、上記ローターケース３４０の回転時に流路部３７０を介して流動する空気を加速させる。
【００７９】
即ち、上記プッシュ部３８０は、上記ローターケース３４０の上面に形成される第１のプッシュ部３８２と、上記ディスク支持部材３６０の内周面及び外周面の少なくとも一つに形成される第２のプッシュ部３８４とを含んで構成されることができる。
【００８０】
なお、本実施形態に係る第１のプッシュ部３８２は、上記ローターケース３４０の上面に周方向に沿って相互離隔されて配置されるように形成される複数の溝からなり、本実施形態に係る第２のプッシュ部３８４は、上記ディスク支持部材３６０の外周面に形成される凹溝３８４ａと、上記ディスク支持部材３６０の内周面に形成される凸部３８４ｂとからなることができる。
【００８１】
以下、上記第１及び第２のプッシュ部３８２、３８４について詳述する。
【００８２】
まず、上記第１のプッシュ部３８２は、上記ディスク支持部材３６０の半径方向の内側に上記流路部３７０に対応されるように配置されることで、流動する空気が当該流路部３７０を介して空間Ｓから当該空間Ｓの外側により円滑に流動されるようにする。
【００８３】
これにより、上記ローターケース３４０の上面とディスク支持部材３６０とディスクＤの底面とによって形成される空間Ｓと、当該空間Ｓの外側との圧力差及び温度差をより速やかに減少させることができる。
【００８４】
なお、上記第２のプッシュ部３８４は、それぞれの上記ディスク支持部材３６０の外周面の中央部に配置されて空間Ｓの外側で流動する空気を加速させる凹溝３８４ａと、それぞれの上記ディスク支持部材３６０の内周面の中央部に配置されて空間Ｓで流動する空気を上記第１のプッシュ部３８２と共に加速させる凸部３８４ｂとを備える。
【００８５】
これにより、上記第２のプッシュ部３８４の凹溝３８４ａによって、空間Ｓの外側で流動する空気を加速させる一方、上記第２のプッシュ部３８４の凸部３８４ｂによって、空間Ｓから流路部３７０を介して流動する空気を加速させることができる。
【００８６】
結局、上記第２のプッシュ部３８４によって、空間Ｓの内外側に流動する空気を加速させることで、より円滑に空気が流動されるようにする。
【００８７】
上述したように、上記流路部３７０を介して、上記ディスクＤの底面とローターケース３４０の上面との間の空間Ｓを、当該空間Ｓの外側と連通させることによって、空気を流動させて空間Ｓと当該空間Ｓの外側との圧力差及び温度差を減少させることができる。
【００８８】
さらに、上記第１及び第２のプッシュ部３８２、３８４からなるプッシュ部３８０によって、上記流路部３７０を介した空気の流動をより円滑にすることで、空間Ｓと当該空間Ｓの外側との圧力差及び温度差をより速やかに減少させることができる。
【００８９】
これにより、上記ディスクＤの回転駆動中に発生する振動を減少させ、最終的には、上記モーター３００の消費電力を減少させることができる。
【００９０】
図６は、本発明の第４の実施形態に係るモーターを示す概略図である。
【００９１】
図６を参照すると、本発明の第４の実施形態に係るモーター４００は、チャッキング機構４２０と、ローターケース４４０と、ディスク支持部材４６０と、プッシュ部４８０とを含む。
【００９２】
なお、上記チャッキング機構４２０、上記ローターケース４４０及び上記ディスク支持部材４６０に関する説明は、上述した本発明の第１の実施形態に係るモーター１００におけるチャッキング機構１２０、ローターケース１４０及びディスク支持部材１６０に関する説明と同様であるため、ここでは省略する。
【００９３】
上記プッシュ部４８０は、上記ローターケース４４０及び上記ディスク支持部材４６０の少なくとも一つに形成され、上記ローターケース４４０の回転時に流路部４７０を介して流動する空気を加速させる。
【００９４】
即ち、上記プッシュ部４８０は、上記ローターケース４４０の上面に形成される第１のプッシュ部４８２と、上記ディスク支持部材４６０の内周面及び外周面の少なくとも一つに形成される第２のプッシュ部４８４とを含んで構成されることができる。
【００９５】
なお、本実施形態に係る第１のプッシュ部４８２は、上記ローターケース４４０の上面に周方向に沿って相互離隔されて配置されるように形成される複数の溝からなり、本実施形態に係る第２のプッシュ部４８４は、上記ディスク支持部材４６０の外周面に形成される外側凹溝４８４ａと、上記ディスク支持部材４６０の内周面に形成される内側凹溝４８４ｂとからなることができる。
【００９６】
上記外側凹溝４８４ａと上記内側凹溝４８４ｂは、交互に配置されるように上記ディスク支持部材４６０に形成されることができる。
【００９７】
以下、上記第１及び第２のプッシュ部４８２、４８４について詳述する。
【００９８】
まず、上記第１のプッシュ部４８２は、上記ディスク支持部材４６０の半径方向の内側に上記流路部４７０に対応されるように配置されることで、流動する空気が当該流路部４７０を介して空間Ｓから当該空間Ｓの外側により円滑に流動されるようにする。
【００９９】
これにより、上記ローターケース４４０の上面とディスク支持部材４６０とディスクＤの底面とによって形成される空間Ｓと、当該空間Ｓの外側との圧力差及び温度差をより速やかに減少させることができる。
【０１００】
なお、上記第２のプッシュ部４８４は、それぞれの上記ディスク支持部材４６０の外周面に相互離隔されて配置されて空間Ｓの外側で流動する空気を加速させる外側凹溝４８４ａと、それぞれの上記ディスク支持部材４６０の内周面の中央部に配置されて空間Ｓで流動する空気を上記第１のプッシュ部４８２と共に加速させる内側凹溝４８４ｂとを備える。
【０１０１】
これにより、上記第２のプッシュ部４８４の外側凹溝４８４ａによって、空間Ｓの外側で流動する空気を加速させる一方、上記第２のプッシュ部４８４の内側凹溝４８４ｂによって、空間Ｓから上記流路部４７０を介して流動する空気を加速させることができる。なお、図６では、２つの外側凹溝４８４ａと１つの内側凹溝４２４ｂが含まれる場合を例示したが、外側凹溝４８４ａと内側凹溝４２４ｂの数はこれに限らず、３つ以上の外側凹溝４８４ａ、２つ以上の内側凹溝４２４ｂが含まれていてもよい。
【０１０２】
結局、上記第２のプッシュ部４８４によって、空間Ｓの内外側に流動する空気を加速させることで、より円滑に空気が流動されるようにする。
【０１０３】
上述したように、上記流路部４７０を介して、上記ディスクＤの底面とローターケース４４０の上面との間の空間Ｓを、当該空間Ｓの外側と連通させることによって、空気を流動させて空間Ｓと当該空間Ｓの外側との圧力差及び温度差を減少させることができる。
【０１０４】
さらに、上記第１及び第２のプッシュ部４８２、４８４からなるプッシュ部４８０によって、上記流路部４７０を介した空気の流動をより円滑にすることで、空間Ｓと当該空間Ｓの外側との圧力差及び温度差をより速やかに減少させることができる。
【０１０５】
これにより、上記ディスクＤの回転駆動中に発生する振動を減少させ、最終的には、上記モーター４００の消費電力を減少させることができる。
【０１０６】
図７は、本発明の第５の実施形態に係るモーターを示す概略図である。
【０１０７】
図７を参照すると、本発明の第５の実施形態に係るモーター５００は、チャッキング機構５２０と、ローターケース５４０と、ディスク支持部材５６０と、プッシュ部５８０とを含む。
【０１０８】
なお、上記チャッキング機構５２０、上記ローターケース５４０及び上記ディスク支持部材５６０に関する説明は、上述した本発明の第１の実施形態に係るモーター１００におけるチャッキング機構１２０、ローターケース１４０及びディスク支持部材１６０に関する説明と同様であるため、ここでは省略する。
【０１０９】
上記プッシュ部５８０は、上記ローターケース５４０及び上記ディスク支持部材５６０の少なくとも一つに形成され、上記ローターケース５４０の回転時に流路部５７０を介して流動する空気を加速させる。
【０１１０】
なお、本実施形態に係るプッシュ部５８０は、上記ディスク支持部材５６０の内周面に形成される凸部からなることができる。
【０１１１】
また、上記プッシュ部５８０は、それぞれの上記ディスク支持部材５６０の内周面の中央部に配置されることで、流動する空気が上記流路部５７０を介して空間Ｓから当該空間Ｓの外側により円滑に流動されるようにする。
【０１１２】
これにより、上記ローターケース５４０の上面とディスク支持部材５６０とディスクＤの底面とによって形成される空間Ｓと、当該空間Ｓの外側との圧力差及び温度差をより速やかに減少させることができる。
【０１１３】
上述したように、上記流路部５７０を介して、上記ディスクＤの底面とローターケース５４０の上面との間の空間Ｓを、当該空間Ｓの外側と連通させることによって、空気を流動させて空間Ｓと当該空間Ｓの外側との圧力差及び温度差を減少させることができる。
【０１１４】
さらに、上記プッシュ部５８０によって、上記流路部５７０を介した空気の流動をより円滑にすることで、空間Ｓと当該空間Ｓの外側との圧力差及び温度差をより速やかに減少させることができる。
【０１１５】
これにより、上記ディスクＤの回転駆動中に発生する振動を減少させ、最終的には、上記モーター５００の消費電力を減少させることができる。
【０１１６】
図８は、本発明の第６の実施形態に係るモーターを示す概略図である。
【０１１７】
図８を参照すると、本発明の第６の実施形態に係るモーター６００は、チャッキング機構６２０と、ローターケース６４０と、ディスク支持部材６６０と、プッシュ部６８０とを含む。
【０１１８】
なお、上記チャッキング機構６２０、上記ローターケース６４０及び上記ディスク支持部材６６０に関する説明は、上述した本発明の第１の実施形態に係るモーター１００におけるチャッキング機構１２０、ローターケース１４０及びディスク支持部材１６０に関する説明と同様であるため、ここでは省略する。
【０１１９】
上記プッシュ部６８０は、上記ローターケース６４０及び上記ディスク支持部材６６０の少なくとも一つに形成され、上記ローターケース６４０の回転時に流路部６７０を介して流動する空気を加速させる。
【０１２０】
なお、本実施形態に係るプッシュ部６８０は、上記ディスク支持部材６６０の内周面に形成される凹溝からなることができる。
【０１２１】
上記プッシュ部６８０は、それぞれの上記ディスク支持部材６６０の内周面の中央部に配置されることで、流動する空気が上記流路部６７０を介して空間Ｓから当該空間Ｓの外側により円滑に流動されるようにする。
【０１２２】
これにより、上記ローターケース６４０の上面とディスク支持部材６６０とディスクＤの底面とによって形成される空間Ｓと、当該空間Ｓの外側との圧力差及び温度差をより速やかに減少させることができる。
【０１２３】
上述したように、上記流路部６７０を介して、上記ディスクＤの底面とローターケース６４０の上面との間の空間Ｓを、当該空間Ｓの外側と連通させることによって、空気を流動させて空間Ｓと当該空間Ｓの外側との圧力差及び温度差を減少させることができる。
【０１２４】
さらに、上記プッシュ部６８０によって、上記流路部６７０を介した空気の流動をより円滑にすることで、空間Ｓと当該空間Ｓの外側との圧力差及び温度差をより速やかに減少させることができる。
【０１２５】
これにより、上記ディスクＤの回転駆動中に発生する振動を減少させ、最終的には、上記モーター６００の消費電力を減少させることができる。
【０１２６】
図９は、本発明の第７の実施形態に係るモーターを示す概略図である。
【０１２７】
図９を参照すると、本発明の第７の実施形態に係るモーター７００は、チャッキング機構７２０と、ローターケース７４０と、ディスク支持部材７６０と、プッシュ部７８０とを含む。
【０１２８】
なお、上記チャッキング機構７２０、上記ローターケース７４０及び上記ディスク支持部材７６０は、上述した第１の実施形態に係るチャッキング機構１２０、ローターケース１４０及びディスク支持部材１６０と同様の構成であるため、ここでは省略する。
【０１２９】
上記プッシュ部７８０は、上記ローターケース７４０及び上記ディスク支持部材７６０の少なくとも一つに形成され、上記ローターケース７４０の回転時に流路部７７０を介して流動する空気を加速させる。
【０１３０】
なお、本実施形態に係るプッシュ部７８０は、上記ローターケース７４０の上面に周方向に沿って相互離隔されて配置されるように形成される複数の溝からなることができる。
【０１３１】
上記プッシュ部７８０は、上記ディスク支持部材７６０の半径方向の内側に配置されるが、相互離隔されて配置される複数の上記流路部７７０間に位置される。
【０１３２】
即ち、上記プッシュ部７８０は、複数の上記流路部７７０間に位置されることで、流動する空気を当該流路部７７０に案内する役割を行う。
【０１３３】
換言すれば、上記プッシュ部７８０は、流動する空気が上記流路部７７０を介して空間Ｓから当該空間Ｓの外側により円滑に流動されるようにする。
【０１３４】
これにより、上記ローターケース７４０の上面とディスク支持部材７６０とディスクＤの底面とによって形成される空間Ｓと、当該空間Ｓの外側との圧力差及び温度差をより速やかに減少させることができる。
【０１３５】
上述したように、上記流路部７７０を介して、上記ディスクＤの底面とローターケース７４０の上面との間の空間Ｓを、当該空間Ｓの外側と連通させることによって、空気を流動させて空間Ｓと当該空間Ｓの外側との圧力差及び温度差を減少させることができる。
【０１３６】
さらに、上記プッシュ部７８０によって、上記流路部７７０を介した空気の流動をより円滑にすることで、空間Ｓと当該空間Ｓの外側との圧力差及び温度差をより速やかに減少させることができる。
【０１３７】
これにより、上記ディスクＤの回転駆動中に発生する振動を減少させ、最終的には、上記モーター７００の消費電力を減少させることができる。
【０１３８】
図１０は、本発明の第８の実施形態に係るモーターを示す概略図である。
【０１３９】
図１０を参照すると、本発明の第８の実施形態に係るモーター８００は、チャッキング機構８２０と、ローターケース８４０と、ディスク支持部材８６０と、プッシュ部８８０とを含む。
【０１４０】
なお、上記チャッキング機構８２０、上記ローターケース８４０及び上記ディスク支持部材８６０に関する説明は、上述した本発明の第１の実施形態に係るモーター１００におけるチャッキング機構１２０、ローターケース１４０及びディスク支持部材１６０に関する説明と同様であるため、ここでは省略する。
【０１４１】
上記プッシュ部８８０は、上記ローターケース８４０及び上記ディスク支持部材８６０の少なくとも一つに形成され、上記ローターケース８４０の回転時に流路部８７０を介して流動する空気を加速させる。
【０１４２】
即ち、上記プッシュ部８８０は、上記ローターケース８４０の上面に形成される第１のプッシュ部８８２と、上記ディスク支持部材８６０の内周面及び外周面の少なくとも一つに形成される第２のプッシュ部８８４とを含んで構成されることができる。
【０１４３】
なお、本実施形態に係る第１のプッシュ部８８２は、上記ローターケース８４０の上面に周方向に沿って相互離隔されて配置されるように形成される複数の溝からなり、本実施形態に係る第２のプッシュ部８８４は、上記ディスク支持部材８６０の外周面に形成される外側凹溝８８４ａと、上記ディスク支持部材８６０の内周面に形成される内側凹溝８８４ｂとからなることができる。
【０１４４】
上記外側凹溝８８４ａと上記内側凹溝８８４ｂは、交互に配置されるように上記ディスク支持部材８６０に形成されることができる。
【０１４５】
上記第１のプッシュ部８８２は、上記ディスク支持部材８６０の半径方向の内側に配置されるが、上記内側凹溝８８４ｂに対応されて配置されるように上記ローターケース８４０の上面に形成されることができる。
【０１４６】
以下、上記第１及び第２のプッシュ部８８２、８８４について詳述する。
【０１４７】
まず、上記第１のプッシュ部８８２は、上記ディスク支持部材８６０の半径方向の内側に上記内側凹溝８８４ｂに対応されるように配置されることで、流動する空気が上記流路部８７０を介して空間Ｓから当該空間Ｓの外側により円滑に流動されるようにする。
【０１４８】
これにより、上記ローターケース８４０の上面とディスク支持部材８６０とディスクＤの底面とによって形成される空間Ｓと、当該空間Ｓの外側との圧力差及び温度差をより速やかに減少させることができる。
【０１４９】
なお、上記第２のプッシュ部８８４は、それぞれの上記ディスク支持部材８６０の外周面に相互離隔されて配置されて空間Ｓの外側で流動する空気を加速させる外側凹溝８８４ａと、それぞれの上記ディスク支持部材８６０の内周面の中央部に配置されて空間Ｓで流動する空気を上記第１のプッシュ部８８２と共に加速させる内側凹溝８８４ｂとを備える。
【０１５０】
これにより、上記第２のプッシュ部８８４の外側凹溝８８４ａによって、空間Ｓの外側で流動する空気を加速させる一方、上記第２のプッシュ部８８４の内側凹溝８８４ｂによって、空間Ｓから上記流路部８７０を介して流動する空気を加速させることができる。
【０１５１】
結局、上記第２のプッシュ部８８４によって、空間Ｓの内外側に流動する空気を加速させることで、より円滑に空気が流動されるようにする。
【０１５２】
上述したように、上記流路部８７０を介して、上記ディスクＤの底面とローターケース８４０との間の空間Ｓを、当該空間Ｓの外側と連通させることによって、空気を流動させて空間Ｓと当該空間Ｓの外側との圧力差及び温度差を減少させることができる。
【０１５３】
さらに、上記第１及び第２のプッシュ部８８２、８８４からなるプッシュ部８８０によって、上記流路部８７０を介した空気の流動をより円滑にすることで、空間Ｓと当該空間Ｓの外側との圧力差及び温度差をより速やかに減少させることができる。
【０１５４】
これにより、上記ディスクＤの回転駆動中に発生する振動を減少させ、最終的には、上記モーター８００の消費電力を減少させることができる。
【０１５５】
図１１は、本発明の第１の実施形態に係るディスク駆動装置を示す概略断面図である。
【０１５６】
図１１を参照すると、本発明の第１の実施形態に係るディスク駆動装置９００は、前述した技術的特徴を全て有するモーター９１０を搭載するようになる。
【０１５７】
本発明の一実施形態に係るディスク駆動装置９００は、ハウジング９０２と、光ピックアップ部９０４と、駆動部９０６とを含む。
【０１５８】
上記ハウジング９０２は、ディスクが出入りされる開口部９０２ａを備え、上記モーター９１０、上記光ピックアップ部９０４及び上記駆動部９０６が設けられることができる内部空間を有するように形成される。
【０１５９】
なお、上記ハウジング９０２には、上記モーター９１０が実装される印刷回路基板２１（図１参照）を含むベースプレート２２（図１参照）が固定されることができる。
【０１６０】
上記光ピックアップ部９０４は、上記モーター９１０によって回転されるディスクＤに光を照射し、反射された光を受光する。即ち、上記光ピックアップ部９０４は、ディスクＤに文字や図面等を印刷するライトスクライブ機能を具現するために、当該ディスクＤの下部に配置されるように上記ハウジング９０２に設けられることができる。
【０１６１】
上記駆動部９０６は、上記光ピックアップ部９０４に連結されて当該光ピックアップ部９０４をディスクＤの周方向に移動させる。
【０１６２】
また、上記駆動部９０６は、光ピックアップ部用駆動モーター９０６ａから発生する駆動力を動力伝達部材９０６ｂを介して上記光ピックアップ部９０４に伝達し、これにより、光ピックアップ部９０４は、ディスクＤの周方向に移動しながらディスクＤに光を照射し、反射された光を受光する。
【０１６３】
なお、上記モーター９１０は、上記モーターに対する実施形態で詳述されたため、ここではその詳細な説明を省略する。
【符号の説明】
【０１６４】
１００、２００、３００、４００、５００、６００、７００、８００  モーター
１２０、２２０、３２０、４２０、５２０、６２０、７２０、８２０  チャッキング機構
１４０、２４０、３４０、４４０、５４０、６４０、７４０、８４０  ローターケース
１６０、２６０、３６０、４６０、５６０、６６０、７６０、８６０  ディスク支持部材
１７０、２７０、３７０、４７０、５７０、６７０、７７０、８７０  流路部
１８０、２８０、３８０、４８０、５８０、６８０、７８０、８８０  プッシュ部
【図１】
0005376342.tif 000002
【図２】
0005376342.tif 000003
【図３】
0005376342.tif 000004
【図４】
0005376342.tif 000005
【図５】
0005376342.tif 000006
【図６】
0005376342.tif 000007
【図７】
0005376342.tif 000008
【図８】
0005376342.tif 000009
【図９】
0005376342.tif 000010
【図１０】
0005376342.tif 000011
【図１１】
0005376342.tif 000012